(57)【要約】      （修正有）【課題】えのき茸の培地に被せられることでえのき茸をバンドルに整える、えのき茸巻紙を提供する。【解決手段】えのき茸巻紙は、えのき茸巻紙本体１と、巻紙本体の両端に対応するように配置され、互いに連結可能な連結部（面ファスナー４１、４２）と、巻紙本体の少なくとも一方の面に分布する複数の突起２と、を含む。連結部を連結することによって、えのき茸巻紙本体が、取り囲み可能に培地に被せられる成形キャビティを構成する。えのき茸巻紙本体の少なくとも一方の面に突起を設けることで、照射ライトからの光が分散され、光合成を向上させ、えのき茸の成長を促進させることができる。また、えのき茸巻紙本体の強度を強化し、洗浄・消毒・乾燥工程における変形を避けると同時に、突起が水滴の「壁掛け」現象を防止し、乾燥・消毒効率の向上とエネルギー消費の低下が図られる。【選択図】図１
0003216477.tif 000002
【実用新案登録請求の範囲】
【請求項１】
えのき茸の培地に被せられることでえのき茸をバンドルに整えるえのき茸巻紙であって、
えのき茸巻紙本体と、
前記えのき茸巻紙本体の両端に対応するように配置される、互いに連結可能な連結部と、
前記えのき茸巻紙本体の少なくとも一方の面に分布する複数の突起と、
を備え、
前記えのき茸巻紙本体は、前記連結部を連結することによって、取り囲み可能に前記培地に被せられる成形キャビティを構成する、
ことを特徴とするえのき茸巻紙。
【請求項２】
前記えのき茸巻紙本体の一端に、前記連結部と隣接し、かつ、前記連結部を避けるように設けられる牽引耳をさらに備え、
前記突起の高さは、０．１ｍｍ〜０．１９ｍｍである、
ことを特徴とする、請求項１に記載のえのき茸巻紙。
【請求項３】
前記突起の高さは、０．１７ｍｍである、
ことを特徴とする、請求項２に記載のえのき茸巻紙。
【請求項４】
前記えのき茸巻紙本体の両面に、不規則配列の前記突起が形成される、
ことを特徴とする、請求項１に記載のえのき茸巻紙。
【請求項５】
前記えのき茸巻紙本体は、中間のカラーマスターバッチ層と、前記カラーマスターバッチ層の両面から、それぞれ外方向に向かって順次配置される保護層及び表面層と、を含む
ことを特徴とする、請求項１に記載のえのき茸巻紙。
【請求項６】
前記えのき茸巻紙本体によって取り囲まれる前記成形キャビティの高さは、９ｃｍ〜１８ｃｍである
ことを特徴とする、請求項１に記載のえのき茸巻紙。
【請求項７】
前記成形キャビティの高さは、１７ｃｍである
ことを特徴とする、請求項６に記載のえのき茸巻紙。
【請求項８】
前記えのき茸巻紙本体の厚さは、０．２８ｍｍ〜０．３１ｍｍである
ことを特徴とする、請求項５に記載のえのき茸巻紙。
【請求項９】
前記牽引耳は、前記成形キャビティの高さ方向に、前記連結部と交わる交差部を有する、
ことを特徴とする、請求項２に記載のえのき茸巻紙。
【請求項１０】
前記連結部は、前記えのき茸巻紙本体の両端にそれぞれ配置された、互いに連結可能な２つの面ファスナを含み、
前記えのき茸巻紙本体には、前記連結部が設けられる一方側の縁部に沿って補強部が形成され、前記補強部に前記連結部が配置される、
ことを特徴とする請求項１ないし９のいずれか１項に記載のえのき茸巻紙。
【考案の詳細な説明】
【技術分野】
【０００１】
本考案は、食用きのこ栽培技術分野に関し、特にえのき茸巻紙に関する。
【背景技術】
【０００２】
えのき茸は、我が国で栽培されている食用きのこの主要品種である。えのき茸は、美味しく、栄養価が高いだけでなく、様々な薬理効果も持っており、人々に人気がある。えのき茸は、主に新鮮なものが市場に供給されている。えのき茸の工場栽培技術の登場により、えのき茸の収量と品質とが向上しただけではなく、季節的な制限もなくなって通年生産が実現され、特に、夏場の消費とニーズに影響をもたらした。えのき茸の特定の成長環境と条件を満たすためには、えのき茸の成長に必要な空間を確保する必要がある。
【０００３】
従来技術では、栽培瓶（袋）にえのき茸巻紙を被せることが多いが、えのき茸巻紙の定期的洗浄と乾燥とが必要となる。洗浄工程では、えのき茸巻紙が重ねて被せられたり積み重ねられたりすることとなり、各えのき茸巻紙の間に水層が存在するので、分離しにくくなり、風乾の効率も悪い。また、従来のえのき茸巻紙は、ほとんど構成的にシンプルに形成されており、照射ライトに照らされても、えのき茸の成長にかかる光の需要を満すことができないおそれがある。
【考案の概要】
【考案が解決しようとする課題】
【０００４】
この点を鑑みて、本考案は、えのき茸の成長効果を向上させうる優れた効果を実現可能な、えのき茸巻紙を提供することを目的とする。
【課題を解決するための手段】
【０００５】
上記目的を実現するために、本考案は下記技術様態を採用する。
【０００６】
えのき茸の培地に被せられることでえのき茸をバンドルに整えるえのき茸巻紙であって、えのき茸巻紙は、えのき茸巻紙本体と、えのき茸巻紙本体の両端に対応するように配置される、互いに連結可能な連結部と、えのき茸巻紙本体の少なくとも一方の面に配布される複数の突起と、を備える。えのき茸巻紙本体は、連結部を連結することによって、取り囲み可能に培地に被せられる成形キャビティを構成する。
【０００７】
また、えのき茸巻紙本体の一端に、連結部と隣接し、かつ、連結部を避けるように設けられる牽引耳をさらに備え、そして、突起の高さは、０．１ｍｍ〜０．１９ｍｍである。
【０００８】
好ましくは、突起の高さは０．１７ｍｍである。
【０００９】
さらに、えのき茸巻紙本体の両面に、不規則配列の突起が形成される。
【００１０】
さらに、えのき茸巻紙本体は、中間のカラーマスターバッチ層と、カラーマスターバッチ層の両面から、それぞれ外方向に向かって順次配置される保護層及び表面層と、を含む。
【００１１】
さらに、えのき茸巻紙本体によって取り囲まれる成形キャビティの高さは、９ｃｍ〜１８ｃｍである。
【００１２】
好ましくは、成形キャビティの高さは、１７ｃｍである。
【００１３】
さらに、えのき茸巻紙本体の厚さは、０．２８ｍｍ〜０．３１ｍｍである。
【００１４】
さらに、牽引耳は、成形キャビティの高さ方向に、連結部と交わる交差部を有する。
【００１５】
さらに、連結部は、えのき茸巻紙本体の両端にそれぞれ配置された、互いに連結可能な二つの面ファスナを含み、えのき茸巻紙本体には、連結部の設けられる一方側の縁部に沿って補強部が形成され、補強部に連結部が配置される。
【考案の効果】
【００１６】
従来技術と比較すれば、本考案は、下記の有益な効果を有する。
（１）本考案のえのき茸巻紙では、えのき茸巻紙本体の少なくとも一方の面に突起を設けることで、照射ライトからの照明が分散され、えのき茸の光合成を向上させ、えのき茸の成長を促進させることができる。また、えのき茸巻紙本体の構造的強度を強化し、えのき茸巻紙本体の洗浄・消毒・乾燥工程における変形を避けることができると同時に、突起が水滴の「壁掛け」現象を防止することも可能となり、乾燥・消毒効率の向上とエネルギー消費の低下とが図られる。また、突起の設置による「壁掛け」現象の減少により、使用中に、空気中に発生した水滴のえのき茸巻紙本体の端面から栽培瓶（袋）の中への流れが確保され、えのき茸の保水性を改善させるとともに、発芽率の向上と共に、えのき茸の収量と味の改善も可能となる。
（２）突起の高さを０．１ｍｍ〜０．１９ｍｍにすることで、一面ではえのき茸巻紙本体の柔軟性に対する影響を低減することができ、他の一面では透過光に対する分散効果と保水性を更に向上させ、えのき茸の成長品質を改善することもできる。また、牽引耳を設けることによって、えのき茸巻紙本体で培地を取り囲むことに便利である上、連結部に隣接するとともに連結部を避けるような牽引耳の配置方式では、えのき茸巻紙本体で取り囲む時に、手で連結部を操作しやすく、手の動作の一貫性を向上させ、これにより被せ作業の効率を向上させることができる。
（３）突起の高さを０．１７ｍｍとすることで、保水性と透光性とを向上させることができるだけではなく、構造全体を軽量化することもできる。
（４）突起を不規則配列となるようにすることで、一面では風乾燥の効率を向上させることができ、他の一面では光の分散効果を改善することもできる。
（５）えのき茸巻紙本体に保護層と表面層とを設置することで、えのき茸巻紙本体の耐凍性を改善することができる。
（６）牽引耳と連結部を交わるように設置することによって、設計生産に便利であり、手の操作にも有利である。
（７）連結部に面ファスナを用いることで、構成がシンプルで、信頼性が高く、低コストで、連結効果が良い。
（８）補強部を設けることで、えのき茸巻紙本体を被せる際の変形の発生を防止することができる。
【００１７】
本考案の一部を構成する添付図面は、本考案のさらなる理解を提供するために使用されるが、本考案の例示的な実施形態及びその説明は、本考案を説明するものであり、本考案を限定するものではない。
【図面の簡単な説明】
【００１８】
【図１】この考案の実施形態に係るえのき茸巻紙を示す概略構成図である。
【図２】この考案の実施形態に係るえのき茸巻紙のもう一方の面を示す概略構成図である。
【図３】この考案の実施形態に係るえのき茸巻紙の連結部が連結された状態を示す概略構成図である。
【図４】この考案の実施形態に係る補強部を示す概略構成図である。
【図５】この考案の実施形態に係るえのき茸巻紙本体を示す概略構成図である。
【符号の説明】
【００１９】
１      えのき茸巻紙本体
１０１  通気孔
１０２  第二通気孔
２      突起
３      成形キャビティ
４１    第一面ファスナ
４２    第二面ファスナ
５      補強部
６      牽引耳
６０１  交差部
７      カラーマスターバッチ層
８      保護層
９      表面層
２１    第一突起
２２    第二突起
【考案を実施するための形態】
【００２０】
本考案の実施形態及び実施形態の特徴は、矛盾のない範囲で互いに組み合わせられてもよい。
【００２１】
以下では、実施形態と添付の図面に基づいて、本考案を詳細に説明する。
【００２２】
本実施形態に係るえのき茸巻紙は、えのき茸の培地に被せることで、えのき茸をバンドルへ整える。図１から図３に示したように、えのき茸巻紙は、えのき茸巻紙本体１を備え、えのき茸巻紙本体１の少なくとも片側の面に複数の突起２が設けられる。各突起２の高さは０．１ｍｍ〜０．１９ｍｍである。本実施形態では、えのき茸巻紙本体１の一方側の縁部に接近して、えのき茸巻紙本体１の相対する両端に、互いに連結可能な連結部が対応するように設けられる。該連結部の連結により、えのき茸巻紙本体１は、取り囲み可能に培地に被せられるえのき茸成長用の成形キャビティ３を構成する。
【００２３】
上記構成においては、本実施形態のえのき茸巻紙本体１は、取り囲む成形キャビティ３が円錐形となるように、全体として扇形に形成される。当然ながら、本実施形態のえのき茸巻紙本体１は、長方形や正方形に形成され、成形キャビティ３は円柱空間に形成されてもよい。わかりやすく説明するために、本実施形態では、えのき茸巻紙本体１の円弧の長い縁部を上縁部と称し、円弧の短い縁部を下縁部と称し、前記連結部は前記下縁に設けられる。使用時に、成形キャビティ３と外界との流通を図るために、本実施形態では、えのき茸巻紙本体１に横断面が円形の複数列の通気孔１０１が設けられている。各列の各通気孔１０１の円の中心線は、上縁部及び下縁部のラジアンと同じである。また、通気孔１０１の下方には、通気孔１０１と同じ配置で、直径が通気孔１０１より小さい複数の第二通気孔１０２が設置される。
【００２４】
本実施形態では、えのき茸巻紙本体１の厚さは０．２８ｍｍ〜０．３１ｍｍとであり、好ましくは０．３ｍｍである。図５に示したように、中間にあるカラーマスターバッチ層７と、カラーマスターバッチ層７の両面から、それぞれ外方向に向かって順次配置される、いずれも透明である保護層８及び表面層９と、を備える。本実施形態によれば、保護層と表面層とを同時に設置することで、えのき茸巻紙本体の耐凍性を向上させ、使用効果を保証することができる。当然ながら、本実施形態のえのき茸巻紙本体には、従来の構造を採用してもよい。本実施形態では、えのき茸巻紙本体１の反対側の両面のいずれにも突起２が形成されている。本実施形態における突起２の高さは、０．１７ｍｍであることが好ましい。また、突起２は、オリーブ状、乳房状、円錐状としてもよい。また、わかりやすく説明するために、本実施形態では、成形キャビティ３の内壁を形成する端面に配置された突起を第一突起２１と称し、成形キャビティ３の外壁を形成する端面に配置した突起２を第二突起２２と称する。
【００２５】
図１及び図２に示したように、本実施形態では、第一突起２１及び第二突起２２は、それぞれえのき茸巻紙本体１の両面に密に分布しており、本実施形態の第一突起２１及び第二突起２２の少なくとも一方は、不規則配列であり（本実施形態では、不規則配列とは、アレイ状や入れ子状の円環式の配列に対して、突起が無秩序な配列であることを意味する）、好ましくは両方とも不規則配列である。本実施形態では、第一突起２１と第二突起２２とを対応する配置としてもよく、位置ずれ配置としてもよいが、好ましくは位置ずれ配置である（本実施形態では、位置ずれ配置には、完全な位置ずれ配置と部分的な位置ずれ配置とを含み、製造時に必要に応じて加工されればよい）。当然ながら、本実施形態では、一部の第一突起２１と第二突起２２とを対応する配置として、一部の第一突起２１と第二突起２２とを位置ずれ配置としてもよい。
【００２６】
本実施形態中の連結部は、えのき茸巻紙本体１の両端の取り外しできない連結や、両端の取り外し可能な連結として構成されることができる。好ましくは、取り外しできない連結である。取り外しできない連結とする場合、連結部は、両端に設けたグルーであってもよいし、又は、縫合糸で縫合可能な両端に設けた貫通穴であってもよい。当然ながら、溶接の形態で取り外し不可な連結を実現してもよい。取り外し可能な連結とする場合、図１及び図３に示したように、連結部は、えのき茸巻紙本体１の相対する両面に設置された面ファスナ４１、４２を含んでもよい（図における点線は、えのき茸巻紙本体１の他方の端面にあることを意味する）。面ファスナは、えのき茸巻紙本体１に縫合されてもよい。わかりやすく説明するために、本実施形態では、二つの面ファスナを、それぞれ第一面ファスナ４１及び第二面ファスナ４２と称する。当然ながら、取り外し可能な連結として構成された連結部は、面ファスナのほか、その他の構成を用いることもできる。例えば、えのき茸巻紙本体１の相対する両端に、それぞれ図示されていない雄スナップファスナと雌スナップファスナとが設置されてもよい。この場合、雄スナップファスナや雌スナップファスナをえのき茸巻紙本体１の長さ方向に複数設置してもよいし、例えば、複数の雄スナップファスナを設置し、連結時に雌スナップファスナを異なる位置にある雄スナップファスナと連結することで、成形キャビティ３のサイズを調節することも可能である。
【００２７】
また、図４に示したように、本実施形態では、えのき茸巻紙本体１の連結部が設けた片側（下縁部）の縁部に沿って補強部５が形成される。そして連結部は、補強部５の上に設置される。補強部を設けることで、えのき茸巻紙本体１の下縁部の構造強度を補強することができるため、培地への被せによる摩損を避け、使用寿命を延ばすことができる。本実施形態では、補強部５は、えのき茸巻紙本体１と一体成型された増厚層であってもよいし、或いはえのき茸巻紙本体１の表面に張り付けた補強筋であってもよい。補強筋は曲げ可能な金属シートであって、縫合方式で金属シートをえのき茸巻紙本体１に貼り付けることができる。
【００２８】
本出願のえのき茸巻紙を使用する場合、えのき茸巻紙本体１で培地を取り囲み、第一面ファスナ４１と第二面ファスナ４２とを接続させることによって、えのき茸巻紙本体１を図３に示したような囲む状態にする。えのき茸巻紙本体１で取り囲みやすいように、図１及び図２に示したように、本えのき茸巻紙は、えのき茸巻紙本体１の片側の一端に、連結部と隣接しかつ連結部を避けるように配置された牽引耳６をさらに含む。そして、えのき茸巻紙本体１が成形キャビティ３を取り囲む時に牽引耳６が連結部より高くなるように、牽引耳６は、連結部に対して、えのき茸巻紙本体１の下縁部から遠く離れるように設けられる。設計と生産の利便性のため、また操作の利便性のため、本実施形態では、えのき茸巻紙本体１の幅方向（成形キャビティ３の高さ方向）に沿って、牽引耳６は、連結部と交わる交差部６０１を有する。当然ながら、本実施形態では、牽引耳６には連結部との交差部６０１が形成されなくてもよく、牽引耳６と連結部とを完全にずらしてもよい。
【００２９】
使用の際、牽引耳６の操作手順は下記のようにすればよい。まず、左手で第二面ファスナ４２が設置された片側を培地の外表面に押し付け、そして、右手の親指と人差し指で牽引耳６をクランプして、えのき茸巻紙本体１を培地に沿って取り囲む。第一面ファスナ４１と第二面ファスナ４２とが相対する位置にきた時、中指、薬指及び／又は小指で第二面ファスナ４２を第一面ファスナ４１に押し付けて連結すればよい。このことから、本えのき茸巻紙では、連結部を回避するように牽引耳６を設置することで、牽引耳６を牽引すると同時に、中指、薬指及び／又は小指で、第一面ファスナ４１と第二面ファスナ４２とを押し付けて連結させることができ、操作工程に比較的良好な一貫性を持たせ、手の動作を簡略化にすることができ、えのき茸巻紙本体の培地における被せ効率を向上させることができる。
【００３０】
上記は、本考案の好ましい実施形態に過ぎず、本考案を限定するではない。本考案の精神や原則を脱逸しない範囲で行った種々の変更、同等なものとの置換、及び改良などは、全て本考案の請求範囲に含まれる。
【図１】
0003216477.tif 000003
【図２】
0003216477.tif 000004
【図３】
0003216477.tif 000005
【図４】
0003216477.tif 000006
【図５】
0003216477.tif 000007